(57)【要約】【課題】物品を取り出さないでもデザイン等を確認することのできる物品の包装体を提供する。【解決手段】透光性を有する一対の収納部を有し、各収納部の端部が連結されて一体化されたことを特徴とする物品の包装体である。【選択図】図２
2006206147.tif 000002
【特許請求の範囲】
【請求項１】
透光性を有する一対の収納部を有し、各収納部の端部が連結されて一体化されたことを特徴とする物品の包装体。
【請求項２】
一対の前記収納部を互いに重ね合わせるように折り畳み可能であることを特徴とする請求項１記載の物品の包装体。
【請求項３】
前記収納部の内面に、開口が形成されたことを特徴とする請求項２記載の物品の包装体。
【請求項４】
一対の前記収納部を折り畳み状態で係止する係止手段を設けたことを特徴とする請求項２又は３に記載の物品の包装体。
【請求項５】
一対の前記収納部の間にマチ部が形成されたことを特徴とする請求項２〜４のいずれかに記載の物品の包装体。
【請求項６】
端縁に、展示用吊下げフック係止用の穴が形成されたことを特徴とする請求項１〜５のいずれかに記載の物品の包装体。
【請求項７】
手袋用であることを特徴とする請求項１〜６のいずれかに記載の物品の包装体。
【請求項８】
前記収納部の大きさは、折り畳んでいない状態の手袋よりも大とされたことを特徴とする請求項７記載の物品の包装体。
【発明の詳細な説明】
【技術分野】
【０００１】
本発明は、商品等の物品を収納する包装体に関するものである。
【背景技術】
【０００２】
従来、手袋を包装体に入れた状態で販売する場合、例えば、特許文献１のように、一対の手袋を互いに重ね合わせた状態で１つの包装体に収納していた。
【０００３】
【特許文献１】特開平０８−１９８３５７号公報（段落０００４参照）
【発明の開示】
【発明が解決しようとする課題】
【０００４】
しかしながら、包装体に手袋を収納して店頭で展示した場合、購入者が手袋の全体のデザイン等を確認することができないので、包装体から手袋を取り出さなければならなかった。特許文献１のように包装体を透明にしたとしても、一対の手袋を重ねて１つの収納部に収納しているので、他方の手袋が邪魔をして、片方の手袋の全体を確認することができなかった。
【０００５】
また、購入者が実際に手袋を取り出して確認する際には、片方の手袋だけを取り出せばすむところが、従来の構成では一対の手袋が同じ１つの包装体に入っているので、両方の手袋を取り出さざるを得なかった。したがって、店頭では両方の手袋が出された状態で散乱し、それを販売員は元のとおりにしまうのに手間がかかっていた。
【０００６】
そこで、本発明は、上記に鑑み、収納されている物品を取り出さないでも、デザイン等を確認することのできる物品の包装体を提供することを目的とするものである。
【課題を解決するための手段】
【０００７】
上記目的を達成するため、本発明は、透光性を有する一対の収納部を有し、各収納部の端部が連結されて一体化されたことを特徴とする物品の包装体である。なお、各収納部は、一体化されていればよく、両収納部間にマチ部等の他の部材を介在させてもよい。
【０００８】
収納部は透光性を有するので、収納された物品を外部から透視することができ、包装体から取り出さないでも物品のデザイン等を確認することができる。なお、透光性とは、物品を外部から透視することのできる程度のものであって、収納された物品の色や形等のデザインを外部から確認する観点から無色透明が好ましいが、有色透明であってもよい。また、物品の両面を見ることができればよいので、少なくとも収納部の内面及び外面の物品と接する部分が透光性を有すればよい。
【０００９】
また、一対の収納部を有するので、２つの物品を別々の収納部に収納できる。したがって、一方の物品のデザイン等を確認する際に、他の物品が邪魔にならないですむ。また、購入者は、物品を取り出して実際に見てみたい場合でも、必要な片方の物品のみを取り出すことができる。
一対の収納部を、互いに重ね合わせるように折り畳み可能とすれば、折り畳めば、コンパクトにすることができるし、展開すれば、一方の収納部の物品を内面及び外面から同時に見ることができる。また、折り畳み可能とは、両収納部との大部分が重なり合うように折り畳むことができればよく、二つ折りであっても、三つ折り以上であってもよい。
【００１０】
収納部の内面に、開口を形成すれば、開口が物品の取出口となるので、簡単に物品を収納したり、取り出したりすることができる。なお、収納部の内面とは、他の収納部と重なり合う側の面のことである。折り畳み時において取出口が内面に位置するので、取出口が隠れ、収納された物品が取出口から脱落するのを防止できる。
【００１１】
また、一対の収納部を折り畳み状態で係止する係止手段を設けるとよい。開口を内側にして両収納部を重ねるように折り畳み、この折り畳み状態を保持できるので、より一層物品の取出口からの脱落を防止することができる。なお、係止手段としては、一方の収納部と他方の収納部とが重なり合った状態を保持できればどのような形態であってもよく、例えば、一方の収納部の縁から突状の係止部を延設し、他方の収納部の外面に切り込みを形成し、折り畳んだ際に係止部を切り込みに係脱自在に挿入可能とすればよい。または、他の係止手段として、スナップ、面状ファスナなどが挙げられる。
【００１２】
一対の収納部の間にマチ部を形成するのがよい。マチ部の幅は、物品の厚みと同程度とされる。このマチ部により、両収納部を折り畳みやすくなる。
【００１３】
端縁に、展示用吊下げフック係止用の穴を形成するのがよい。店頭において、商品の入った包装体の穴に、展示用の吊下げフックを引っ掛けて、簡単に展示することができる。
【００１４】
上記物品の包装体は、その用途が限定されるものではないが、手袋、靴下等の衣類、ピアス、イヤリング等の装身具などの対をなす物品に用いるのが好ましい。
【００１５】
手袋用として用いる場合、収納部の大きさは、折り畳んでいない状態の手袋よりも大とするのが好ましい。収納部に、手袋を折り畳まない状態で収納することができる。手袋を折り畳まない状態とは、手袋を「パー」にした状態と、親指のみを手の平側に折り曲げた状態とを含む意味である。手袋を折り畳まない状態で収納すると、手袋の手の平面及び手の甲面の全体を外部から見ることができる。
【発明の効果】
【００１６】
本発明によると、収納部は透光性を有するので、物品を外部から透視することができる。したがって、手袋包装体から手袋を取り出さないでもデザイン等を確認することができるので、店頭が散らかりにくくなる。
【００１７】
また、収納部を、右収納部と左収納部とに独立させて右手袋と左手袋とを別々に収納できるので、一方の物品のデザイン等を確認する際に、他の物品が邪魔にならないですむ。また、店頭に展示した際、購入者が物品を取り出して実際に見てみたい場合でも、必要な片方の物品のみを取り出すことができる。そのため、手袋が散在しにくくなり、販売員の手間を省くことができる。
【００１８】
また、両収納部を互いに重ね合わせるように折り畳み可能であるので、展開時には一方の収納部に収納された物品を、内面及び外面から同時に見ることができる。二つ折りに閉じれば、コンパクト化できるので、店頭などで場所を取らないですむ。
【発明を実施するための最良の形態】
【００１９】
以下、本発明のゴルフ手袋等の手袋用の包装体を図面に基づいて説明する。図１は本実施形態の手袋用包装体を開放した状態を示す内面図、図２は同じく手袋用包装体に手袋を収納し、開放した状態を示す斜視図、図３は同じく手袋用包装体に手袋を収納し、折り畳んだ状態を示す斜視図、図４〜図８は他の実施形態の手袋用包装体の正面図である。
【００２０】
本手袋用包装体は、図１〜図３に示すように、右手袋収納部１ａと、右手袋収納部１ａの一方の側縁にマチ部２ａを介して連結した左手袋収納部１ｂと、右手袋収納部１ａと左手袋収納部１ｂとを折り畳んだ状態で固定する係止手段３とから構成される。
【００２１】
右手袋収納部１ａ及び左手袋収納部１ｂは、四角形の１枚の合成樹脂製シート４の片面の左右に、２枚のカバー片５ａ、５ｂを固定することにより、袋状に形成されてなる。合成樹脂製シート４は、右手袋及び左手袋の親指のみを手の平側に折り畳んだ状態で並列に並べられる大きさであればよく、形状は四角形に限定されない。
【００２２】
カバー片５ａ、５ｂは、合成樹脂製シート４と縦幅が同一でかつ横幅が幅狭の略四角形状のものであり、上縁、下縁及び一方の側方縁が合成樹脂製シート４に熱溶着される。熱溶着されていない他方の側方縁が手袋取出口６の開口縁となり、そこから手袋を挿入したり、取り出したりすることができる。なお、手袋の取り出し、取り入れが可能であれば、カバー片５ａ、５ｂの開口縁となる側方縁の一部を熱溶着してもよい。また、カバー片の開口縁の形状は、カバー片５ａ、５ｂの横幅が幅狭となるようにカーブした形状とすると、手袋を収納した際に手袋の一部が手袋収納部よりはみ出るので、取り出しやすく好ましい。なお、この形状に限定されるものではなく、図４に示すような逆に横幅が幅広となるようにカーブした形状や、直線状、波状、ジグザグ状など種々の形態をとってもよい。また、カバー片の大きさは、手袋を保持可能な大きさであればよい。
【００２３】
カバー片５ａ、５ｂの配置は、図１に示すように、左右のカバー片５ａ、５ｂの開口縁が左右反対で、かつ、向かい合わないように配置されるが、これに限定されるものではなく、図５及び図６に示すように、左右のカバー片５ａ、５ｂの開口縁が向かい合うように配置してもよいし、または、図７に示すように、左右のカバー片５ａ、５ｂの開口縁が同一方向になるように配置してもよい。
【００２４】
係止手段３は、左手袋収納部１ｂの外面に形成された弧状の切り込み３ａと、この切り込み３ａに係止する係止部３ｂとから構成される。切り込み３ａの形状は、弧状に限定されるものではなく、係止体３が係止可能であれば、直線状など他の形状であってもよい。
【００２５】
係止部３ｂは、右手袋収納部１ａの左手袋収納部１ｂと反対側の側縁に、マチ部２ｂを介して延設される。係止部３ｂは、合成樹脂性シート４の縦幅とほぼ同一縦幅の基部の中央から、細幅の差込み片が３ｃが延設される。この差込み片３ｃを左手袋収納部１ｂの切り込み３ａに挿入することにより、係止可能とされる。また、係止部３ｂの外面側には、ほぼ中間位置に縦方向に浅溝状の切り込みが施されることにより折り曲げ線３ｄが形成される。この折り曲げ線３ｄにより、係止部３ｂを折り曲げやすくできる。
【００２６】
なお、上記実施形態においては、左手袋収納部１ｂの外面に切り込み３ａを形成し、右手袋収納部１ａの縁に係止部３ｂを形成したが、右手袋収納部１ａの外面に切り込み３ａを形成し、左手袋収納部１ｂの縁に係止部３ｂを形成してもよい。
【００２７】
また、右手袋収納部１ａと左手袋収納部１ｂとの間には、マチ部２ａが形成される。このマチ部２ａにより、右手袋収納部１ａと左手袋収納部１ｂとを重ね合わせるように折り畳む際に、手袋の厚みに対応することができ、曲げやすくなる。また、右手袋収納部１ａと係止部３ｂとの間にもマチ部２ｂが形成される。このマチ部２ｂにより、右手袋収納部１ａの上に折り畳まれた左手袋収納部１ｂの上に、係止体３を折り畳む際に、手袋の厚みに対応することができる。
【００２８】
上記構成において、店頭での展示時においては、手袋用包装体を折り畳んだ状態で展示する。すなわち、右手袋収納部１ａに右手袋を、左手袋収納部１ｂに左手袋を、親指のみを手の平側に折り畳んだ状態で入れた後、右手袋収納部１ａの上に重なるように、左手袋収納部１ｂを折り畳む。そして、左手袋収納部１ｂの上に重なるように係止部３ｂを折り畳んで三つ折り状態とし、係止部３ｂの差し込み片３ｃを左手袋収納部１ｂの切り込み３ａに挿入して、係止する。このように、本手袋包装体を折り畳めば、コンパクトにすることができるので、店頭などで場所を取らないですむ。
【００２９】
そして、購入者は、手袋の両面を見たい場合には、左手袋収納部１ｂの切り込み３ａから係止部３ｂの差し込み片３ｃを抜いて、右手袋収納部１ａと左手袋収納部１ｂとを開いた状態にする。このように展開状態にすれば、手袋収納部１ａ、１ｂは透光性を有し、また、手袋の片方ずつが別々の収納部に、手袋を折り畳まない状態で収納されているので、購入者は手袋の手の平面及び手の甲面の両面を見ることができ、手袋を手袋用包装体から取り出さないでも手袋のデザインを確認することができる。したがって、店頭で包装体から手袋が取り出されないので、販売員の片付ける手間もなくなる。
【００３０】
また、購入者がどうしても手袋を包装体から取り出して実際に見てみたい場合であっても、手袋をそれぞれ別々に手袋収納部１ａ、１ｂに収納しているので、どちらか一方を取り出せばすむ。したがって、店頭で散らかりにくくなり、販売員の手間を省くことができる。
【００３１】
なお、本発明は上記実施形態に限定されるものではなく、本発明の範囲内で上記実施形態に多くの修正及び変更を加え得ることは勿論である。例えば、上記実施形態では、手袋の包装体について説明したが、靴下等の衣類、ピアス、イヤリング等の装身具などの対をなす他の物品にも適用できる。
【００３２】
また、上記実施形態においては、説明の都合上、右手袋収納部１ａに右手袋を、左手袋収納部１ｂに左手袋を収納したが、逆に入れても構わないのは勿論である。また、上記実施形態においては、収納時の手袋の向きについて、手袋の甲側が折り畳み時に外面になるように配置したが、手袋の手の平側が折り畳み時に外面になるように配置してもよいし、左右の手袋で逆に配置してもよい。また、右手袋収納部１ａと左手袋収納部１ｂとを左右に配置したが、上下に配置する態様としてもよい。
【００３３】
さらにまた、上記実施形態では、右手袋収納部１ａと左手袋収納部１ｂとを二つ折りの形態で折り畳んだが、三つ折り以上に折り畳む形態としてもよい。例えば、図８に示すように、右手袋収納部１ａと左手袋収納部１ｂとの間に、横幅が幅広の連結体７を介在させ、この連結体７に、右手袋収納部１ａと左手袋収納部１ｂとが重なるように折り畳んでもよい。この際、右手袋収納部１ａと左手袋収納部１ｂとは、連結体７の同一面側に折り畳んでもよいし、反対面側に折り畳んでもよい。その場合、手袋が脱落しにくいように、手袋取出口６は、他方の手袋収納部側に形成されるのが好ましい。また、連結体７には手袋の商品情報やイラストなどを印刷することができる。
【図面の簡単な説明】
【００３４】
【図１】本実施形態の手袋用包装体を開放した状態を示す内面図
【図２】同じく手袋用包装体に手袋を収納し、開放した状態を示す斜視図
【図３】同じく手袋用包装体に手袋を収納し、折り畳んだ状態を示す斜視図
【図４】他の実施形態の手袋用包装体の正面図
【図５】他の実施形態の手袋用包装体の正面図
【図６】他の実施形態の手袋用包装体の正面図
【図７】他の実施形態の手袋用包装体の正面図
【図８】他の実施形態の手袋用包装体の正面図
【符号の説明】
【００３５】
１ａ  右手袋収納部
１ｂ  左手袋収納部
２ａ、２ｂ  マチ部
３    係止手段
３ａ  切り込み
３ｂ  係止部
３ｃ  差し込み片
４    合成樹脂製シート
５ａ、５ｂ  カバー片
６    手袋取出口
７    連結体
【図１】
2006206147.tif 000003
【図２】
2006206147.tif 000004
【図３】
2006206147.tif 000005
【図４】
2006206147.tif 000006
【図５】
2006206147.tif 000007
【図６】
2006206147.tif 000008
【図７】
2006206147.tif 000009
【図８】
2006206147.tif 000010